(57)【要約】      （修正有）【課題】複数の携帯型装置の間でのファイル交換を同時に提供し、無線通信技術を介して携帯型装置に多様なアクセスサービスを提供する、自律バックアップ能力を有する無線記憶装置を提供する。【解決手段】第１の記憶媒体４０２と、第２の記憶媒体４１１と、無線端末装置４２と接続して無線端末装置の制御信号を受信する通信ユニット４０９と、通信ユニット、第１の記憶媒体及び第２の記憶媒体に電気的に接続され、第１の記憶媒体と第２の記憶媒体との間の自律バックアップ手順を実行する処理ユニット４０１と、を含む。無線通信技術を介して、接続された無線端末装置に外部バックアップサービス等の多様なアクセスサービスを提供し、無線端末装置が生成したパケットをネットワーク上にルーティングし、更に無線端末装置が生成した映像信号を再生して外部表示装置に表示することができる。【選択図】図４
0003187029.tif 000002
【実用新案登録請求の範囲】
【請求項１】
第１の記憶媒体と、
第２の記憶媒体と、
無線端末装置と接続して前記無線端末装置の制御信号を受信する通信ユニットと、
前記通信ユニット、前記第１の記憶媒体及び前記第２の記憶媒体に電気的に接続され、前記制御信号を処理して前記第１の記憶媒体と前記第２の記憶媒体との間の自律バックアップ手順を実行する処理ユニットと、
を含むことを特徴とする自律バックアップ能力を有する無線記憶装置。
【請求項２】
前記第１の記憶媒体は、前記無線記憶装置に内蔵された記憶媒体であることを特徴とする請求項１に記載の自律バックアップ能力を有する無線記憶装置。
【請求項３】
前記第２の記憶媒体は、記憶インターフェースユニットを介して前記無線記憶装置に接続された外部記憶装置であることを特徴とする請求項２に記載の自律バックアップ能力を有する無線記憶装置。
【請求項４】
前記処理ユニットには、自律バックアップ手順時に必要な一時保存メモリが更に設けられていることを特徴とする請求項３に記載の自律バックアップ能力を有する無線記憶装置。
【請求項５】
前記無線記憶装置は、自律バックアップ手順を実行するボタン又はその他の形式のトリガーインターフェースを更に含むことを特徴とする請求項１に記載の自律バックアップ能力を有する無線記憶装置。
【請求項６】
前記処理ユニットに電気的に接続され、前記無線記憶装置の電力を管理する電源モジュールと、
前記電源モジュールに電気的に接続され、前記無線端末装置との間に介在されて前記無線記憶装置が前記無線端末装置に電気的に接続されるようにするとともに、前記無線端末装置に給電するための、電力インターフェースと、
を更に含むことを特徴とする請求項１に記載の自律バックアップ能力を有する無線記憶装置。
【請求項７】
前記処理ユニットに電気的に接続され、前記無線端末装置が生成した音声信号を処理して再生するための音声信号処理ユニットと、
前記処理ユニットに電気的に接続され、前記無線端末装置が生成した映像信号を処理して映像信号インターフェースユニットを介して表示装置に再生するための、映像信号処理ユニット及び映像信号インターフェースユニットと、
を更に含むことを特徴とする請求項６に記載の自律バックアップ能力を有する無線記憶装置。
【請求項８】
前記処理ユニットに電気的に接続され、ネットワークルーティング機能を提供するパケット処理ユニットを更に含むことを特徴とする請求項７に記載の自律バックアップ能力を有する無線記憶装置。
【請求項９】
ネットワークに接続された通信回路と、自律バックアップ手順を実行するプログラムが記憶されたメモリと、自律バックアップ手順制御信号を生成するプロセッサとが設けられた無線端末装置と、
第１の記憶媒体と、第２の記憶媒体と、前記無線端末装置と接続して前記無線端末装置が生成した前記自律バックアップ手順制御信号を受信する通信ユニットと、前記通信ユニット、前記第１の記憶媒体及び前記第２の記憶媒体に電気的に接続され、前記自律バックアップ手順制御信号を処理して前記第１の記憶媒体と前記第２の記憶媒体との間の自律バックアップ手順を実行する処理ユニットと、を含む無線記憶装置と、
を含むことを特徴とする自律バックアップ能力を有する無線記憶システム。
【請求項１０】
前記第１の記憶媒体は、前記無線記憶装置に内蔵された記憶媒体であることを特徴とする請求項９に記載の自律バックアップ能力を有する無線記憶システム。
【請求項１１】
前記第２の記憶媒体は、記憶インターフェースユニットを介して前記無線記憶装置に接続された外部記憶装置であることを特徴とする請求項１０に記載の自律バックアップ能力を有する無線記憶システム。
【請求項１２】
前記無線記憶装置は、自律バックアップ手順を実行するボタン又はその他の形式のトリガーインターフェースを更に含むことを特徴とする請求項１１に記載の自律バックアップ能力を有する無線記憶システム。
【請求項１３】
前記無線記憶装置は、
前記処理ユニットに電気的に接続され、前記無線記憶装置の電力を管理する電源モジュールと、
前記電源モジュールに電気的に接続され、前記無線端末装置との間に介在されて前記無線記憶装置が前記無線端末装置に給電するための電力インターフェースと、
を更に含むことを特徴とする請求項９に記載の自律バックアップ能力を有する無線記憶システム。
【請求項１４】
前記無線記憶装置は、
前記無線端末装置が生成した音声信号を処理して再生するための音声信号処理ユニットと、
前記無線端末装置が生成した映像信号を処理して映像信号インターフェースユニットを介して表示装置に再生するための、映像信号処理ユニット及び映像信号インターフェースユニットと、
を更に含むことを特徴とする請求項１３に記載の自律バックアップ能力を有する無線記憶システム。
【請求項１５】
前記無線記憶装置は、
前記処理ユニットに電気的に接続され、ネットワークルーティング機能を提供するパケット処理ユニットを更に含むことを特徴とする請求項１４に記載の自律バックアップ能力を有する無線記憶システム。
【考案の詳細な説明】
【技術分野】
【０００１】
本考案は、自律バックアップ能力を有する無線記憶装置に関し、特に外付け記憶装置と内蔵記憶装置との間でのファイルのバックアップを自律的に実行することができることによって、無線端末装置に外部バックアップ又はファイル共有を提供することができる手段及びその装置に関する。
【背景技術】
【０００２】
スマートフォン、タブレットＰＣ等の携帯型装置がしだいに誰もが持てるようになると、装置の間でのデータの相互共有、及びファイルの記憶、バックアップの需要が生じることになる。一般的な技術では、２つの装置間に互換性のある通信プロトコルが存在するか否かによって伝送の方式が制限され、２つの装置間の伝送方式と帯域幅によって伝送の速度も制限される。両者の間の伝送方式としては、例えば無線ネットワーク（ＷｉＦｉ（登録商標））、ブルートゥース（Bluetooth（登録商標））、ひいては近距離通信方式（Near-Field Communication、ＮＦＣ）がある。
【０００３】
例を挙げると、装置の間でＷｉＦｉ（登録商標）を利用してファイルを交換しようとすると、ＷｉＦｉ（登録商標）通信方式が通常主従関係であるため、まず一方をサーバ側に、他方をクライアント側に設定しなければ、伝送設定を行うことができない。或いは、別の方法として、両側に特定のファイル伝送ソフトウェアをインストールする方法がある。或いは、例えばＡｄ−Ｈｏｃモードのように、ファイル伝送に関わる両方においてＰ２Ｐ（ピアツーピア）の伝送モードを設定する方法がある。
【０００４】
Ｐ２Ｐの伝送方式では、ブルートゥース通信を考慮することもできる。即ち、双方でまずブルートゥース通信を介してペアリングを行い、その後ブルートゥース通信の限られた帯域幅でファイルを交換することができる。また、近距離通信の方式を用いてファイルを交換することを考慮することができる。但し、２つの装置は、一定の近距離内でハンドシェイク手順を行ってからファイルを伝送する必要があり、伝送方式は著しく制限される。
【０００５】
上述した２つの装置間のファイル交換の方式以外の方式として、従来の装置間のファイル伝達方式では、別途ストレージを中間装置とし、まずファイルをこのストレージに伝達する。このストレージは、例えばクラウドサーバ、外付けハードディスク、フラッシュメモリ、他のコンピューターシステム等であってもよい。次いで、他の装置がこれらのストレージからファイルを取得する。
【０００６】
前述したストレージには、２つ以上の記憶媒体が設けられてもよい。例えばその一方は、ハードディスク、フラッシュメモリといった、ストレージに内蔵された記憶媒体であり、他方は、外付けハードディスク又はメモリカードといった、拡張された記憶媒体であってもよい。２つの記憶媒体の間でファイルを相互伝送する必要がある場合、従来技術では、図１に示すように、携帯装置側で前述したストレージ上の異なる記憶媒体の間のデータ交換手順を制御する必要がある。
【０００７】
図１は、従来技術において、外部装置１が記憶装置１０における２つの記憶媒体（記憶ユニット１０５、記憶インターフェースユニット１０７とメモリカード１０９）のファイル交換を制御する手順を示した図である。この従来技術において、外部装置１は、まず特定の通信方式を介して記憶装置１０と接続する。記憶装置１０内には制御器１０１を有し、通信ユニット１０３経由で外部の制御信号を取得するように処理することができる。
【０００８】
制御信号には、記憶装置１０内のデータバックアップ手順を制御するために、外部装置１が特定のソフトウェアを実行する信号が含まれる。例えば、記憶装置１０は、その記憶インターフェースユニット１０７にメモリカード１０９が接続されることによって、メモリカード１０９内のデータをこのインターフェースへの挿入接続を契機に記憶装置１０内の記憶媒体にバックアップすることができる。この記憶媒体は、例えば内蔵されたハードディスク又はその他の形式の記憶媒体であり、図１では記憶ユニット１０５である。バックアップを実行した場合、メモリカード１０９内のデータは、特定の通信技術によってまず外部装置１のメモリ内に一時的に保存され、次いで、同様に記憶装置１０との接続を介してその記憶ユニット１０５に伝送される。特筆すべきは、このバックアップ手順において、２つの装置間の伝送帯域幅は、これらデータ伝達によってその大部分が占められることである。
【考案の概要】
【考案が解決しようとする課題】
【０００９】
本考案は、携帯型装置に外部ストレージとファイルバックアップの手段を提供し、２つの又は複数の装置の間でのファイル交換を同時に提供し、或いは特定の実施例においてパケットルーティング又はビデオ再生の機能を提供するために、無線通信技術を介して携帯型装置に多様なアクセスサービスを提供する、自律バックアップ能力を有する無線記憶装置を提供することを課題とする。
【課題を解決するための手段】
【００１０】
本考案に係る自律バックアップ能力を有する無線記憶装置は、例えば第１の記憶媒体と第２の記憶媒体である少なくとも２つの異なる記憶媒体と、無線端末装置と接続する通信ユニットと、制御信号を処理して第１の記憶媒体と第２の記憶媒体との間の自律バックアップ手順を実行する処理ユニットと、を含む。
【００１１】
第１の記憶媒体は、無線記憶装置に内蔵された記憶媒体であってもよい。第２の記憶媒体は、無線記憶装置が記憶インターフェースユニットを介して接続した外部記憶装置であってもよく、例えば、外付けハードディスク、フラッシュメモリ、メモリカード等である。自律バックアップ手順を実行するために、装置内の処理ユニットには、バックアップ時に必要な一時保存メモリが更に設けられている。
【００１２】
無線端末装置を利用して自律バックアップ手順の信号を生成すること以外に、他の実施例において、無線記憶装置は、自律バックアップ手順を実行するボタン又はその他の形式のトリガーインターフェースを更に含んでもよい。
【００１３】
特に、無線記憶装置は、多機能の携帯型ルーティング装置であってもよく、ルーティング機能を実行するパケット処理ユニットを含んでもよい。無線記憶装置の電源は、無線端末装置への供給に用いることができる。無線記憶装置は、無線端末装置が生成した音声信号を処理して再生する音声信号処理ユニットと、映像信号を処理して他の表示装置に再生する映像信号処理ユニット及び映像信号インターフェースユニットとを更に含んでもよい。
【００１４】
本考案は、上述した無線記憶装置と無線端末装置とを含む自律バックアップ能力を有する無線記憶システムを更に提供する。
【考案の効果】
【００１５】
本考案に係る自律バックアップ能力を有する無線記憶装置は、主として異なる記憶媒体間のデータバックアップの作業を自律的に処理することが可能であり、その他の装置のリソースを用いる必要がなく、本考案に係る装置とその他の装置との間のネットワーク帯域幅を占有することもない。従って、バックアップ過程において、その他の装置は、記憶サービス、ネットワークルーティングサービス、音声信号／映像信号再生のうちの１つ又は複数の機能の組み合わせを含む、本考案に係る記憶装置との間のその他の作業を依然として実行することが可能である。
【図面の簡単な説明】
【００１６】
【図１】従来技術における外部装置とストレージとのデータアクセスを示した図である。
【図２】本考案に係る自律バックアップ能力を有する無線記憶装置と各装置との接続関係の実施例を示した図である。
【図３】本考案に係る自律バックアップ能力を有する無線記憶装置と無線端末装置との接続を示した図である。
【図４】本考案に係る無線記憶装置による自律バックアップ実行の実施例を示した図である。
【図５】本考案に係る自律バックアップ能力を有する無線記憶装置の実施例の回路ブロック図である。
【図６】本考案に係る自律バックアップ能力を有する無線記憶装置の外部ビデオ再生の実施例を示した図である。
【図７】本考案に係る自律バックアップ能力を有する無線記憶装置のパケットルーティング機能の実施例を示した図である。
【考案を実施するための形態】
【００１７】
本考案に係る自律バックアップ能力を有する無線記憶装置は、独立して動作する記憶装置であってもよく、特定の無線通信プロトコルをサポートする通信回路が設けられ、他の携帯型装置に無線接続の方式でその記憶装置の記憶媒体にアクセスさせることができる。当該アクセスは、無線記憶装置の内蔵又は外付けの記憶装置へのアクセスを含む。更に、携帯型装置に外部バックアップ又はファイル共有の手段を提供するために、この無線記憶装置は、異なる記憶媒体間のバックアップを自律的に実行することができる一方で、外部携帯型装置との間の伝送帯域幅を占有することがない。ハードウェア設計において、無線記憶装置には、外部装置が接続される接続ポートが設けられ、当該外部装置に給電又は充電を行うことができる。また、本考案に係る無線記憶装置は、パケットルーティングの機能を更に提供することができる。
【００１８】
この無線記憶装置は、自動バックアップフローを提供する。１つの実施例において、外部携帯型装置からバックアップコマンドが送信された場合、無線記憶装置は、異なる媒体間のバックアップ手順を自律的に実行する。或いは、ボタン又はその他の形式のトリガーインターフェースが設けられてもよく、ボタンが無線記憶装置内の通信及び記憶媒体の回路に電気的に接続されることで、ユーザによってトリガーされた後、生成された信号によって自動バックアップフローが自動的にトリガーされる。当該フローには、この無線記憶装置に挿入接続されたメモリカード、及びＵＳＢを介して接続された外部記憶装置等のコンテンツが自動的にバックアップされることが含まれる。また、設定に基づいて、接続された携帯型装置と双方向でデジタルデータを同期することも可能である。
【００１９】
本考案に係る無線記憶装置は、上述した外部携帯型装置によって生成されたバックアップコマンド、又は装置上のボタン若しくはその他の形式のトリガーインターフェースを通じて、無線接続とバックアップの手順を起動することができる。即ち、ユーザによってこのボタンがトリガーされた後、無線記憶装置は、自動的に無線通信の方式を介して、すでに接続設定が完了した、例えば携帯電話、タブレットＰＣ等の携帯型装置である無線端末装置に接続される。
【００２０】
他の実施例において、本考案に係る無線記憶装置は、ビデオ変換の作業を行うことができる。例を挙げると、無線記憶装置は、接続された携帯型装置内の音声信号ファイルをスピーカを介して再生することができる。更に、携帯型装置からビデオコンテンツが再生された場合、無線記憶装置の変換によって、ビデオコンテンツをビデオインターフェースを介して表示装置に送り再生することができる。
【００２１】
１つの実施例において、前述した無線記憶装置は、無線ネットワーク装置、独立電源、内蔵カードリーダ及び／又は外部ストレージが接続されるインターフェースを結合した装置として実現することができる。この無線記憶装置は、ネットワークルータ、ゲートウェイ、交換機、又は特定の目的等の機能を有する装置を含むことができる。この無線記憶装置が内蔵又は外付け記憶媒体を有する無線ネットワークルータである場合、外付けポートを有しない携帯型装置に対し無線接続技術によってその記憶媒体へのアクセスを提供することができる。当該記憶媒体としては、無線記憶装置に接続されたメモリカード、外付け式ハードディスク、ディスクドライブ等の装置が含まれる。
【００２２】
実施例において、無線記憶装置は、接続された各種外部装置を識別することができ、例えば媒体アクセス制御（Media Access Control、ＭＡＣ）、ネットワークアドレス（ＩＰ）、デバイス名といった各接続装置のネットワーク識別データ、又は接続対象を識別することができるその他の識別方式を記録することができる。無線記憶装置は、少なくとも例えばカードリーダであるメモリカードアクセスインターフェースを有し、省エネ及び活線挿抜（Hot Swapping）機能をサポートするとともに、例えばユニバーサルシリアルバス（ＵＳＢ）、ＰＣＩ（Peripheral Component Interconnect、例えばＰＣＩ  Ｅｘｐｒｅｓｓ）インターフェース、ファイアワイヤ（Firewire）、サンダーボルト（Thunderbolt）といった、外部記憶装置を接続することが可能なアクセスインターフェースを更に含む。無線記憶装置は、独立電源を有してもよく、直流電源（ＤＣ）と交流電源（ＡＣ）を使用することができる。これにより、この無線記憶装置にアクセスした各種機器は通信プロトコルを通じて、所要のサービスの内容を選択、制御することができる。
【００２３】
図２は、本考案に係る無線記憶装置と各装置との接続関係の実施例を示した図である。
【００２４】
図２に示すように、本考案に係る無線記憶装置２０は、パケットルーティングを実現することができ、同時に複数の無線端末装置（２４、２６）の接続を受け入れることができる。無線端末装置（２４、２６）は、例えばスマートフォン、ネットワーク通信機能を有するタブレット装置、ノートＰＣ等であってもよい。
【００２５】
本実施例における無線記憶装置２０は、各無線端末装置（２４、２６）が生成したデジタルデータパケットをネットワーク２００上のターゲット装置に転送するのに用いることができ、また特に２つの装置間でのファイル伝送時の一時保存空間とすることもできる。各端末装置は、この無線記憶装置２０をルータとすることによりネットワーク２００上のサーバ２０１と接続するとともに、そのリソースにアクセスすることができる。また、他のコンピューター２０３と接続したり或いはネットワークに接続されたネットワークアタッチトストレージ２０５にアクセスすることもできる。
【００２６】
本考案に係る無線記憶装置２０は、メモリカード２２が挿入接続されるスロット又はカードリーダ機構を有してもよい。また、フラッシュメモリ２８又は特定の外部記憶媒体を含んでもよい。無線記憶装置２０内部には、標準バスを介してこのメモリカード２２、フラッシュメモリ２８又はその他の外部記憶媒体が接続されてもよい。これにより、無線端末装置（２４、２６）はメモリカード２２又はその他のストレージにスムーズにアクセスすることができ、異なる記憶媒体間のデータバックアップを行うことができる。無線記憶装置内部に敷設された標準バスは、例えばＵＳＢ、Ｉ２Ｃ又は汎用非同期送受信機（Universal Asynchronous Receiver/Transmitter、ＵＡＲＴ）であってもよく、シリアル（serial）又はパラレル（parallel）等のデータ伝送方式を利用して各インターフェースとの通信を行うことができる。
【００２７】
本実施例において、前述した無線記憶装置２０がサポートする通信プロトコルとしては、例えばハイパーテキスト転送プロトコル（ＨＴＴＰ）ファイルサーバ（HTTP file server）、ファイル転送プロトコル（ＦＴＰ）ファイルサーバ（FTP file server）、Ｓａｍｂａ、ＤＬＮＡ（Digital Living Network Alliance）がある。このうちＨＴＴＰファイルサーバは、主としてメモリ内のファイル伝送サービスを提供するものである。ＦＴＰファイルサーバは、ファイルフォルダ（file folder）アクセスサービスを提供するものである。Ｓａｍｂａは、ＵＮＩＸ（登録商標）系のオペレーティングシステムとマイクロソフト（登録商標）のオペレーティングシステムであるＷｉｎｄｏｗｓ（登録商標）のＳＭＢ／ＣＩＦＳ（Server Message Block/Common Internet File System）ネットワークプロトコルを結合するためのフリーソフトウェアである。ＤＬＮＡ標準認証を取得した製品は、デジタルメディアに有線又は無線のネットワークを介して相互接続を行わせることができ、相互運用性のインターフェース及びプラットフォームを有することによってデジタルホームを実現することができる。一般的には、各種プラットフォームに適用されるデータアクセスサービスを提供するために、ファイルシステムは、ＦＡＴ、ＦＡＴ３２、ＮＴＦＳ、ｅｘＦＡＴ等であってもよいが、実際の実施においてはプラットフォームに応じて設計することができ、これらのファイルシステムに制限されない。
【００２８】
従って、各無線端末装置（２４、２６）は、上述した各種無線通信プロトコルを介して無線記憶装置２０と接続するとともに、無線記憶装置２０内部の標準バスを介して各内蔵又は外部記憶媒体内のファイルにアクセスすることができる。無線記憶装置２０にアクセスする方式において、無線端末装置（２４、２６）には特定のソフトウェアプログラム（ＡＰＰ）がインストールされていてもよい。ユーザは、無線端末装置（２４、２６）においてこのソフトウェアプログラムを実行することができ、ソフトウェアプログラムによって起動されたユーザインターフェース（ＵＩ）を操作することを介して無線記憶装置２０と接続して、無線記憶装置内の記憶媒体にアクセスし、ユーザインターフェースを介して異なる記憶媒体間のバックアップコマンドを送ることができる。
【００２９】
他の実施例において、このソフトウェアプログラムのブートによって、この無線記憶装置２０が当該装置に接続されたネットワーク２００と接続することにより、無線記憶装置２０との双方向のファイル伝送の目的を達成することができる。他の実施例において、ビデオの転送を実行することを含んでもよい。各機能を実行する場合、ユーザインターフェースは対応する画面を表示することができ、特に各装置の動作状態を表示することができる。当該動作状態としては、例えば現在充電中であること（無線記憶装置が充電中であること又は無線端末装置への充電中であること）、ファイルアクセスの進捗状況、記憶媒体の記憶空間、ビデオ再生中等のメッセージが挙げられる。
【００３０】
次いで、図３は、本考案に係る自律バックアップ能力を有する無線記憶装置と無線端末装置との接続を示した図である。図３において、相互に無線接続された無線端末装置３２と無線記憶装置３０とを示す。無線端末装置３２と無線記憶装置３０は、無線記憶システムと見做すことができる。ここで、無線端末装置３２におけるプロセッサによって自律バックアップ手順制御信号が生成されて無線記憶装置３０に送られることで、無線記憶装置３０が自律バックアップ手順を実行する。無線記憶装置３０における任意の２つの記憶媒体（例えばメモリカード、フラッシュメモリとハードディスク）の間で対応するバックアップ手順又は複製手順が行われる。特筆すべきは、上述した無線端末装置３２は、制御信号を伝達する際、同時に時間情報を無線記憶装置３０に提供することができることである。無線端末装置３２は、取得された時間情報に基づいて対応的に命名されたバックアップフォルダを作成し、ユーザがクエリを実行できるようにする。バックアップを行う過程では、無線端末装置３２は、アプリケーションプログラムによって無線記憶装置３０に対して状態クエリを実行することで現在のバックアップ進捗状況を取得することができる。また、無線記憶装置３０は、自発的に定期的に現在のバックアップ状態を無線端末装置３２に報告することでユーザに通知することもできる。
【００３１】
本考案に係る無線記憶装置３０は、外部装置に対してその内蔵又は外付けの記憶装置へのアクセスを提供することができる。図３に示すように、例えばＵＳＢ接続ポートである外部接続ポート３０３が設けられてもよく、この接続ポートをサポートする各種記憶装置を接続することができる。また、カードリーダ装置３０５が設けられてもよく、特定のメモリカードを読み込むことができる。これにより、無線端末装置３２によるアクセスを提供する。これらの外付け接続ポート設計によって、接続された外部記憶装置に無線端末装置３２がアクセスできるほか、他の実施例において、これらの外付けの記憶媒体、メモリカード、フラッシュメモリに記録されたコンテンツが無線記憶装置３０内の記憶装置に同期してバックアップされることもできる。
【００３２】
無線記憶装置３０は、有線ネットワークパケットルーティングに用いられてもよい。例えば、ＲＪ−４５といったネットワーク接続ポート３０７が設けられており、これにより、１つのネットワーク又はネットワーク装置と接続し、無線端末装置３２を他のネットワークと接続させることができる。例えば、無線端末装置３２にインターネット（internet）への接続を提供する。
【００３３】
特に、異なる記憶媒体間で同期してバックアップを実行する必要がある場合、例えばメモリカードのデータが無線記憶装置３０の内蔵メモリにバックアップされ、無線端末装置３２がそのソフトウェアプログラムを介してバックアップコマンドを生成し、無線記憶装置３０内のプロセッサと処理プログラムが自律的にバックアップを実行することができる。例えば、メモリカード内のデータを一時的に保存するための例えば一時保存メモリが提供され、再度内蔵メモリに記憶する。これらの手順及びデータは、無線端末装置３２によって処理される必要がない。即ち、無線端末装置３２は、そのデータフローを処理する必要がない。従って、無線端末装置３２と無線記憶装置３０との間の帯域幅等のネットワークリソースを占有することがない。無線端末装置３２は、引き続き無線記憶装置３０のルーティング機能を介して外部ネットワークと接続することを含むその他の事物を処理することができる。
【００３４】
図３に示すように、無線記憶装置３０には、少なくとも１つのボタン３０１が設けられている。これは主としてユーザがボタン３０１を押すことで簡単に自動的に特定のフローを実行することができるように簡便な方法を提供するものである。これによって例えば、この無線記憶装置３０に接続されたメモリカード、外部記憶装置等の記憶媒体におけるデータを自動的にこの無線記憶装置３０内にバックアップすることができる。同様に、そのデータ伝達とバックアップ手順は無線記憶装置３０内の処理手順によって引き継がれ、外部リソースを占有することはない。ボタン３０１の作用には、無線端末装置３２におけるファイルを自動的に双方向的に無線記憶装置３０にバックアップすることが含まれ、その主な目的は２つの装置のファイルを同期させることにある。他の実施例において、ボタン３０１によって実行可能な自動フローはカスタマイズすることができる。例を挙げると、ユーザによってボタン３０１がトリガーされると、無線記憶装置はその通信ユニットを起動し、すでに接続設定が完了した、図３に示す無線端末装置３２といった外部装置と自動的に接続する。また、他の実施例として、ボタン３０１を介して簡単に２つの装置間におけるビデオ再生といったアクセス手順を実行することができる。
【００３５】
本考案の実施例において、無線端末装置３２には上述したソフトウェアプログラムがインストールされていてもよい。このプログラムが実行されると、無線端末装置３２は、アプリケーションソフトウェア画面３２２を表示することができる。本実施例では、アプリケーションソフトウェア画面３２２を介して、例えばファイル伝送中の画面、２つの装置における使用可能な記憶容量の残量の割合といった２つの装置（３０、３２）間のファイル記憶状況が表示される。無線記憶装置３０内の異なる記憶媒体間の自律バックアップに用いられた場合、アプリケーションソフトウェア画面３２２は、例えば百分率又はデータ量によって、現在のバックアップの進捗状況を表示することができる。また、バックアップ完了後は、このアプリケーションソフトウェア画面３２２を介してユーザが確認できるように表示する。但し、アプリケーションソフトウェア画面３２２はこの図に示した内容に限定されない。
【００３６】
図４は、本考案に係る無線記憶装置による自律バックアップ実行の実施例を示した図である。
【００３７】
図４に示す無線端末装置４２は、例えばスマートフォン、タブレットＰＣ等のアプリケーションプログラムをインストールすることができる携帯型装置であり、その内部に、無線記憶装置４０と接続するための、少なくともネットワークに接続された通信回路（図示せず）が設けられている。当該通信回路は、少なくとも無線記憶装置４０内の通信ユニット４０９が実行するものと互換性を有する無線通信プロトコルを有し、これにより、通信ユニット４０９が、無線端末装置４２内のプロセッサに接続される。プロセッサは、自律バックアップ手順制御信号を生成して無線記憶装置４０に送信するためのものである。無線端末装置４２内には、メモリ（図示せず）が設けられ、当該メモリには、無線端末装置４２が動作する際のオペレーティングシステムが記憶されているほか、本考案に係る自律バックアップ手順を実行するプログラムも記憶されている。
【００３８】
本実施例において、無線端末装置４２が内部のプログラム（例えばＡＰＰ）を実行すると、無線記憶装置４０と近端の接続を確立することができるとともに、このプログラムを介して、同期してバックアップすることを含む、無線記憶装置４０内の記憶データへのアクセスを行うことができる。他の実施例においては、自律バックアップ手順の制御信号を生成して、無線記憶装置４０に制御コマンドを発して、無線記憶装置４０内の異なる記憶媒体間で自律バックアップの手順を行うこともできる。
【００３９】
特に、無線端末装置４２は、この自律バックアップ手順のコマンドを発した後、接続を終了することができ、或いは続けてその他の作業を実行することができる。例えば、無線端末装置４２は、依然として無線記憶装置４０内のデータにアクセスしたり、無線記憶装置４０内のルーティング機能を介して他のネットワークに接続したりすることも可能であり、現在実行中のバックアップの手順の影響を受けることがない。その原因としては、無線記憶装置４０内の処理ユニット４０１が異なる記憶媒体（第１、第２の記憶媒体）のバックアップ手順を自律的に処理することができ、バックアップファイルを無線端末装置４２経由で処理する必要がないからである。従って、伝送されるデータが外部の無線信号帯域幅に影響を及ぼすことがない。異なる記憶媒体において、第１の記憶媒体は、無線記憶装置４０に内蔵された記憶媒体であってもよく、第２の記憶媒体は、無線記憶装置４０にインターフェースを介して接続された外部記憶装置であってもよい。
【００４０】
無線記憶装置４０内の処理ユニット４０１が自律バックアップを実行する場合、特定プロトコルを介して接続されたメモリ４４が一時保存メモリとなって、やり取りされるデータの一時保存作業に用いられてもよい。
【００４１】
例を挙げると、図４に示す外部記憶装置４１１は、メモリカード（第２の記憶媒体）であってもよく、記憶インターフェースユニット４０３を経由してこの無線記憶装置４０に接続されることができる。無線記憶装置４０には記憶ユニット４０２（第１の記憶媒体）が内蔵されており、外部の無線端末装置４２が生成した自律バックアップコマンドを受信した後、外部記憶装置４１１のデータを記憶ユニット４０２内に記憶する。各種記憶媒体は、処理ユニット４０１に電気的に接続されなければならず、自律バックアップ手順は、処理ユニット４０１が自律的に処理する。処理ユニット４０１には、自律バックアップ手順を実行する際に必要な一時保存メモリ４４が更に設けられる。従って、バックアップ手順全体において、外部無線端末装置４２上のリソースを用いることがなく、データ流れによって両者の伝送帯域幅に影響が出ることもない。従って、無線端末装置４２は、依然としてその他の作業を実行することが可能となり、自律バックアップの作業の影響を受けることがない。
【００４２】
本実施例において、自律バックアップ手順が無線端末装置４２によって起動される以外に、無線記憶装置４０は、トリガーすることによって自律バックアップ手順を自動的に実行することが可能なトリガーインターフェースを更に含む。
【００４３】
上述した無線記憶装置は、多機能の記憶装置であってもよい。図５は、本考案に係る無線記憶装置において上述した各機能を実現する主要回路の実施例の回路ブロック図である。
【００４４】
図に示す無線記憶装置４０の中核回路は、無線記憶装置４０内の各回路ユニット信号を処理する処理ユニット４０１である。この処理ユニット４０１は、無線記憶装置４０内の各主要回路ユニットが電気的に接続され、信号伝送のやり取りにおける主要処理回路として用いられる。
【００４５】
無線記憶装置４０は、携帯型であり独立して動作する装置であってもよく、この無線記憶装置４０の電力を管理する電源モジュール４０７が設けられてもよい。この電源モジュール４０７として、例えば充電池パックが搭載されている。但し、依然として外付け電源を介して動作するようにすることができる。更に、１つの実施例において、この無線記憶装置４０は、携帯電源の用途として用いられてもよい。即ち、無線端末装置４２がその充電接続ポートを介して無線記憶装置４０の電力インターフェース４０８に接続されることによって、無線記憶装置４０から無線端末装置４２に給電されるようにしてもよい。給電は、無線記憶装置４０内の電池に対する充電を含む。電力インターフェース４０８の実施例は、例えば電力を伝送可能なユニバーサルシリアルバス（ＵＳＢ）である。
【００４６】
無線記憶装置４０には、無線端末装置４２と接続する通信方式として、特定の無線通信プロトコルを実行する通信ユニット４０９が設けられる。通信ユニット４０９がアンテナ４１０を介して無線電波を送信すると、無線端末装置４２は、周囲の無線通信装置をスキャンする方式により無線記憶装置４０と接続するチャネル（channel）を取得することができ、アクセス認証、安全性検証又は特定のハンドシェイク（handshaking）手段によって両者の接続を確立する。
【００４７】
無線記憶装置４０には、例えばハードディスク（hard disk）、ソリッドステートディスク（solid-state disk、ＳＳＤ）等である記憶ユニット４０２が内蔵されてもよい。記憶ユニット４０２は、外部装置にアクセスを提供する記憶媒体である。本実施例においては、特に無線記憶装置４０が無線端末装置４２にファイル記憶空間を提供するための装置である。但し、図に示す記憶インターフェースユニット４０３に接続された外部記憶装置４１１の記憶空間の利用を提供することを排除しない。記憶インターフェースユニット４０３は、上述したＵＳＢポートであってもよく、又はメモリカードを挿入接続することが可能なスロット又はカードリーダ機構であってもよい。
【００４８】
１つの実施例において、無線記憶装置４０には、処理ユニット４０１に電気的に接続された入力ユニット４０５が設けられている。入力ユニット４０５は、ユーザが入力インターフェースを介してトリガーすることによって生成された入力信号を処理するものである。例えば、図５に示すように、無線記憶装置４０に設けられた入力インターフェースは、ボタン４０６である。ボタン４０６がトリガーされると、トリガー信号が生成される。１つの実施例において、処理ユニット４０１は、このトリガー信号を受信すると、対応する動作を実行する。当該動作は、例えば、無線記憶装置４０に挿入接続されたメモリカード又はＵＳＢを介して接続された外部記憶装置のコンテンツを、単一キーのバックアップ機能によって内部記憶空間に自動的にバックアップすることである。或いは、他の実施例においては、当該動作は、無線記憶装置４０と無線端末装置４２との接続を自動的に確立するとともに、それぞれのデジタルデータを双方向的に同期できるようにすることである。従って、本考案は、各種携帯型無線端末装置４２内におけるファイルのデジタルデータの、自動バックアップ、装置内自律バックアップ、双方向伝送を行うことが可能な解決手段を提供することができる。
【００４９】
本実施例において、本考案に係る無線記憶装置４０は、ビデオ処理能力を有し、無線端末装置４２が生成した音声信号又は映像信号のストリーミングデータを処理することができる。図５に示すように、無線記憶装置４０には、無線端末装置４２が生成した音声信号を処理して再生するための音声信号処理ユニット４０４が設けられてもよい。無線端末装置４２がこの無線記憶装置４０に接続（無線接続）されている時に内部の音声信号ファイルを再生すると、処理ユニット４０１がこの再生メッセージを取得する。そして、無線記憶装置４０内の音声信号処理ユニット４０４が取得された音声信号圧縮形式に基づいて、対応する復号化動作の実行を含む解凍を行うことができる。これにより、音声信号が音声信号処理ユニット４０４を経由して内蔵スピーカ又は本実施例における外部スピーカ４１３によって再生されることができ、特にストリーミング（streaming）技術によって伝送される。
【００５０】
１つの実施例において、本考案に係る無線記憶装置は、接続した無線端末装置が生成した映像信号データを、この無線記憶装置に接続された表示装置上にストリーミング再生の方式で表示することができる。図６は、本考案に係る無線記憶装置を利用して映像信号を再生する実施例を示した図である。
【００５１】
図６に示すように、無線記憶装置６０には、前述した図５に示す主要回路以外に、他の実施例において映像信号を処理する回路が更に設けられている。当該回路は、例えば処理ユニット６０１に電気的に接続された映像信号処理ユニット６０４である。この映像信号処理ユニット６０４は、映像信号を処理する主要回路であり、映像信号の復号化、解凍等の作業を実行するとともに、無線記憶装置６０内の映像信号インターフェースユニット６０５がサポートする映像信号形式に基づいて対応するデジタルデータを生成して、外部に再生することができる。例えば、外部に、高解像度マルチメディアインターフェース（High-Definition Multimedia Interface、ＨＤＭＩ（登録商標））、映像信号インターフェース（ＡＶＩ）、色差端子等のケーブルを介して無線記憶装置６０に接続された、表示装置６８を備える。
【００５２】
本実施例においては、無線端末装置６２が無線通信方式を経由して無線記憶装置６０と接続し、無線記憶装置６０の通信ユニット６０２が無線端末装置６２によって生成された映像信号デジタルデータを受信し、処理ユニット６０１が映像信号処理ユニット６０４を起動して映像信号を処理し、次いで、サポートされる映像信号形式に基づいて映像信号インターフェースユニット６０５が表示装置６８上に再生する。
【００５３】
映像信号の出所としては、記憶インターフェースユニット６０３を介して無線記憶装置６０に接続されたフラッシュメモリ６４、メモリカード６６から取得し、最終的に映像信号処理ユニット６０４と映像信号インターフェースユニット６０５を経て表示装置６８に再生することも可能である。
【００５４】
本考案に係る無線記憶装置のネットワークパケット処理機能については、図７に示す、本考案に係る無線記憶装置のパケットルーティング機能の実施例を示した図を参照することができる。
【００５５】
無線記憶装置７０は、無線端末装置７２にネットワーク７８への接続を提供するルーティング装置として用いることができる。無線記憶装置７０は、処理ユニット７０１と、この処理ユニット７０１に電気的に接続された通信ユニット７０２と、記憶ユニット７０３と、パケット処理ユニット７０４と、ネットワークインターフェースユニット７０５とを含む。
【００５６】
無線端末装置７２は、無線記憶装置７０に内蔵された記憶ユニット７０３又は外付け記憶装置にアクセスすることができる以外に、生成したデジタルデータパケットを無線記憶装置７０を介して転送することもできる。例えば、無線記憶装置７０内にパケット処理ユニット７０４が設けられることによって、無線端末装置７２とネットワーク７８との間でやり取りされるデジタルデータパケットを解析することができ、パケットルーティングの作業を行うことができる。このように、無線記憶装置７０を、外部携帯型装置にネットワークへの接続を提供するための解決手段の一つとすることができる。前述したネットワークインターフェースユニット７０５は、例えばＲＪ−４５をサポートするネットワーク接続ポートであってもよい。
【００５７】
このように、本考案に係る自律バックアップ能力を有する無線記憶装置は、主として異なる記憶媒体間のデータバックアップの作業を自律的に処理することが可能であり、その他の装置のリソースを用いる必要がなく、本考案に係る装置とその他の装置との間のネットワーク帯域幅を占有することもない。従って、バックアップ過程において、その他の装置は、記憶サービス、ネットワークルーティングサービス、音声信号／映像信号再生のうちの１つ又は複数の機能の組み合わせを含む、本考案に係る記憶装置との間のその他の作業を依然として実行することが可能である。
【００５８】
以上は、本考案における好ましい実施例に過ぎず、本考案の請求の範囲を制限するものではない。従って、本考案の明細書及び図面の内容を運用することによって為された等価の構造変化は、いずれも同様の理由により本考案の範囲内に含まれる。
【符号の説明】
【００５９】
１  外部装置        １０  記憶装置
１０１  制御器        １０３  通信ユニット
１０５  記憶ユニット        １０７  記憶インターフェースユニット
１０９  メモリカード        ２０  無線記憶装置
２２  メモリカード        ２８  フラッシュメモリ
２４、２６  無線端末装置        ２００  ネットワーク
２０１  サーバ        ２０３  コンピューター
２０５  ネットワークアタッチトストレージ        ３２  無線端末装置
３２２  アプリケーションソフトウェア画面        ３０  無線記憶装置
３０１  ボタン        ３０３  外部接続ポート
３０５  カードリーダ装置        ３０７  ネットワーク接続ポート
４２  無線端末装置        ４０  無線記憶装置
４０１  処理ユニット        ４０２  記憶ユニット
４０３  記憶インターフェースユニット        ４１１  外部記憶装置
４０９  通信ユニット        ４４  メモリ
４０４  音声信号処理ユニット      ４０５  入力ユニット
４０６  ボタン        ４０７  電源モジュール
４０８  電力インターフェース        ４１０  アンテナ
４１３  外部スピーカ        ６０  無線記憶装置
６０１  処理ユニット        ６０２  通信ユニット
６０３  記憶インターフェースユニット        ６０４  映像信号処理ユニット
６０５  映像信号インターフェースユニット        ６２  無線端末装置
６４  フラッシュメモリ        ６６  メモリカード
６８  表示装置          ７０  無線記憶装置
７０１  処理ユニット        ７０２  通信ユニット
７０３  記憶ユニット        ７０４  パケット処理ユニット
７０５  ネットワークインターフェースユニット        ７２  無線端末装置
７８  ネットワーク
【図１】
0003187029.tif 000003
【図２】
0003187029.tif 000004
【図３】
0003187029.tif 000005
【図４】
0003187029.tif 000006
【図５】
0003187029.tif 000007
【図６】
0003187029.tif 000008
【図７】
0003187029.tif 000009